(57)【要約】      （修正有）【課題】製造コストを抑えることが出来、透明にすることが可能で防水効果も高い容器装置を提供する。【解決手段】プラスチックシート材により折畳まれた容器装置２であって、第１の表面と第２の表面とを有する内底板３１を備えている内層ユニット３０と、透明プラスチックシート材からなったもので、外底板２１と、前記外底板の周縁から前記外底板の外側へ延伸してなったフェンス板とを備えている外層ユニット２０とからなる。且つ、前記外底板は、前記内底板の前記第１の表面に接触しており、前記フェンス板は、まず前記内層ユニットを内側に囲み、且つ、前記外底板と直交するように延伸してから折り返って、その先端部が前記内層ユニットの第２の表面に当接するまで延伸した二重構造になるように折り畳み容器装置を形成する。【選択図】図４
0003165290.tif 000002
【実用新案登録請求の範囲】
【請求項１】
プラスチックシート材により折畳まれた容器装置であって、
第１の表面と第２の表面とを有する内底板３１を備えている内層ユニット３０と、
透明プラスチックシート材からなったもので、外底板２１と、前記外底板の周縁から前記外底板の外側へ延伸してなったフェンス２２、２３、２４板とを備えている外層ユニット２０とからなっており、且つ、
前記外底板２１は、前記内底板３１の前記第１の表面に接触しており、
前記フェンス板は、まず前記内層ユニット３０を内側に囲み、且つ、前記外底板と直交するように延伸してから折り返って、その先端部が前記内層ユニット３０の第２の表面に当接するまで延伸した二重構造になるように折り畳まれていることを特徴とする容器装置。
【請求項２】
前記フェンス板２２、２３、２４は、前記外底板２１の周縁から直交するように延伸した外フェンス部２２と、前記外フェンス部２２と重なるように前記外フェンス部の前記外底板から離れた端縁より折り返って延伸する内フェンス部２３、２４とからなっていることを特徴とする請求項１の容器装置。
【請求項３】
前記内層ユニットは、前記外フェンス部と前記内フェンス部との二重構造により挟まれているサポーターシート３２を更に有していることを特徴とする請求項２の容器装置。
【請求項４】
前記外底板は直角四辺形板体であり、前記外フェンス部は前記外底板の４つの辺から延伸した４つの四辺形板体であり、前記内フェンス部は前記外フェンス部の各四辺形板体の前記外底板から離れた辺から延伸した４つの四辺形板体であることを特徴とする請求項３の容器装置。
【請求項５】
前記外層ユニットは、更に、前記内フェンス部の、前記外フェンス部と隣接している辺と直交している辺からそれぞれ延伸したウィングプレート２６を更に有していることを特徴とする請求項４の容器装置。
【請求項６】
前記外層ユニットは、更に、互いに隣接している２つの前記外フェンス部の間に形成されている計４つの四角形折畳角プレート２５を有しており、各前記折畳角プレートには前記外底板と隣接している角から延伸する対角線に沿うように形成された折畳み線を有していることを特徴とする請求項５の容器装置。
【請求項７】
前記サポーターシートは、前記内底板の第１の対辺に沿う上、前記外底板の第１の対辺から延伸した２つの外フェンス部と該２つの外フェンス部から更に延伸した２つの内フェンス部とに対応するように形成され、且つ、それぞれと対応している前記外フェンス部と前記内フェンス部とに挟まれている２つの第１のサポーター３２１と、前記第１のサポーターから前記第１の対辺の延伸方向と平行に延伸すると共に、前記外底板の第２の対辺から延伸した２つの外フェンス部と該２つの外フェンス部から更に延伸した２つの内フェンス部とに対応するように形成され、且つ、それぞれと対応している前記外フェンス部と前記内フェンス部とに挟まれている２対の第２のサポーター３２２とからなっていることを特徴とする請求項６の容器装置。
【請求項８】
前記サポーターシートは、前記内底板と一体に形成されている上、折り畳まれていることを特徴とする請求項７の容器装置。
【請求項９】
前記内層ユニットは、光が通過できる半透明プラスチック材により形成されたことを特徴とする請求項１の容器装置。
【請求項１０】
前記請求項１〜請求項９のいずれかに記載の容器装置を組み合わせて１つの中空立方体になるように嵌めあうことができる一対の容器装置。
【考案の詳細な説明】
【技術分野】
【０００１】
本考案は容器装置に関し、特に、プラスチックシート材を折畳んで作成できる容器装置に関する。
【背景技術】
【０００２】
図１、図２に示されているように、従来の箱などの容器装置には、紙材料を使用して形成した２つの皿状の容器体を上下合わせ、収容空間をもつ中空立方体となるものがある。
【０００３】
このような皿状の容器体及び容器装置は、紙材料を使用するので、まず製造コストが高く、そして透明でないため外部から収容物を見ることが出来ず、最後に、防水効果が悪いため実用範囲がかなり限られるなどの問題点がある。
【考案の概要】
【考案が解決しようとする課題】
【０００４】
本考案は、上記紙材料を使用した容器装置の問題点に鑑みてなされたもので、製造コストを抑えることが出来、透明にすることが可能で防水効果も高い容器装置の提供を目的とする。
【課題を解決するための手段】
【０００５】
上記目的を達成すべく、本考案はプラスチックシート材により折畳まれた容器装置であって、第１の表面と第２の表面とを有する内底板３１を備えている内層ユニット３０と、透明プラスチックシート材からなったもので、外底板２１と、前記外底板の周縁から前記外底板の外側へ延伸してなったフェンス２２、２３、２４板とを備えている外層ユニット２０とからなっており、且つ、前記外底板２１は、前記内底板３１の前記第１の表面に接触しており、前記フェンス板は、まず前記内層ユニット３０が内側にあり、且つ、前記外底板と直交するように延伸してから折り返って、その先端部が前記内層ユニット３０の第２の表面に当接するまで延伸した二重構造になるように折り畳まれていることを特徴とする容器装置を提供する。
【０００６】
上記容器装置において、前記フェンス板２２、２３、２４は、前記外底板２１の周縁から直交するように延伸した外フェンス部２２と、前記外フェンス部２２と重なるように前記外フェンス部の前記外底板から離れた端縁より折り返って延伸する内フェンス部２３、２４とからなることが好ましい。
【０００７】
上記容器装置において、前記内層ユニットは、前記外フェンス部と前記内フェンス部との二重構造により挟まれているサポーターシート３２を更に有していることが好ましい。
【０００８】
上記容器装置において、前記外底板は直角四辺形板体であり、前記外フェンス部は前記外底板の４つの辺から延伸した４つの四辺形板体であり、前記内フェンス部は前記外フェンス部の各四辺形板体の前記外底板から離れた辺から延伸した４つの四辺形板体であるように形成することができる。
【０００９】
上記容器装置において、前記外層ユニットは、更に、前記内フェンス部の、前記外フェンス部と隣接している辺と直交している辺からそれぞれ延伸したウィングプレート２６を更に有していることが好ましい。
【００１０】
上記容器装置において、前記外層ユニットは、更に、互いに隣接している２つの前記外フェンス部の間に形成されている計４つの四角形折畳角プレート２５を有しており、各前記折畳角プレートには前記外底板と隣接している角から延伸する対角線に沿うように形成された折畳み線を有していることが好ましい。
【００１１】
上記容器装置において、前記サポーターシートは、前記内底板３１の第１の対辺に沿う上、前記外底板の第１の対辺から延伸した２つの外フェンス部と該２つの外フェンス部から更に延伸した２つの内フェンス部とに対応するように形成され、且つ、それぞれと対応している前記外フェンス部と前記内フェンス部とに挟まれている２つの第１のサポーター３２１と、前記第１のサポーターから前記第１の対辺の延伸方向と平行に延伸すると共に、前記外底板の第２の対辺から延伸した２つの外フェンス部と該２つの外フェンス部から更に延伸した２つの内フェンス部とに対応するように形成され、且つ、それぞれと対応している前記外フェンス部と前記内フェンス部とに挟まれている２対の第２のサポーター３２２とからなることが好ましい。
【００１２】
上記容器装置において、前記サポーターシートは、前記内底板と一体に形成されている上、折り畳まれていることができる。
【００１３】
上記容器装置において、前記内層ユニットは、光が通過できる半透明プラスチック材により形成されたことができる。
【００１４】
また、本考案は、上記容器装置を組み合わせて１つの中空立方体になるように嵌めあうことができる一対の容器装置をも提供する。
【考案の効果】
【００１５】
上記構成により、本考案の容器装置はプラスチックシート材を折畳んで作成できるため、製造コストを抑えることが出来、透明にすることが可能で、防水効果も高い容器装置の提供を提供することができる。
【図面の簡単な説明】
【００１６】
【図１】従来の箱などの容器装置の一例が示されている斜視図である。
【図２】同従来容器装置の分解図である。
【図３】本考案の第１の実施形態における内層ユニットと外層ユニットとの折畳まれる前のシート状態が示されている平面図である。
【図４】本考案の第１の実施形態の折畳まれて組み合わせられた状態の断面図である。
【図５】図４の容器装置を組み合わせて１つの中空立方体になるように嵌めあうことができる一対の皿状容器装置の斜視図である。
【図６】図５に示されている一対の皿状容器装置が１つの中空立方体になるように嵌めあって１つのケース状容器装置になっている場合の斜視図である。
【図７】本考案の容器装置の第２の実施形態に使用される内層ユニットと外層ユニットとの折畳まれる前の状態が示されている平面図である。
【考案を実施するための形態】
【００１７】
以下は図３〜図７を参照して、本考案の容器装置の各好ましい実施形態について詳しく説明する。
【００１８】
上記のように、本考案の容器装置は、プラスチックシート材により、内層ユニットと外層ユニットとを折畳んでから組み合わせたものであり、図３は内層ユニット３０と外層ユニット２０との折畳まれる前のシート状態が示されている平面図であり、図４は折畳まれて組み合わせられた状態の断面図であり、図５は図４の容器装置を組み合わせて１つの中空立方体になるように嵌めあうことができる一対の皿状容器装置の斜視図であり、図６は図５に示されている一対の皿状容器装置が１つの中空立方体になるように嵌めあって１つのケース状容器装置になっている場合の斜視図である。
【００１９】
図３に示されているように、本考案の容器装置の第１の実施形態に使用されている内層ユニット３０及び外層ユニット２０は、いずれも、先にシート状に形成されている。
【００２０】
そのうち、内層ユニット３０は、第１の表面３０１と第２の表面３０２とを有する直角四角形板体の内底板３１を有し、内底板３１の他に、内底板３１の第１の対辺３１１から張り出すと共に、第１の対辺３１１と平行するように延伸しているサポーターシート３２を備えている。ここでサポーターシート３２における内底板３１の第１の対辺３１１に対応する部分を第１のサポーター３２１とし、第１のサポーター３２１から更に延伸している部分を第２のサポーター３２２とする。
【００２１】
そして、外層ユニット２０は、透明プラスチックシート材からなったもので、直角四角形板体で内底板３１よりサイズが少し大きい外底板２１と、外底板２１の周縁から前記外底板２１の外側へ延伸してなったフェンス板とを備えている。フェンス板は、外底板２１の周縁から張り出すように延伸した外フェンス部２２と、外フェンス部２２の外底板から離れた端縁から更に延伸した内フェンス部２３と、内フェンス部２３の延伸先端から更に延伸した先端部２４とを有している。
【００２２】
以上は本考案における外層ユニット２０の必要構成であるが、その他に、互いに隣接している２つの外フェンス部２２の間に形成されている計４つの四角形折畳角プレート２５や、内フェンス部２３の、外フェンス部２２と隣接している辺２７２と直交する辺２７５からそれぞれ延伸したウィングプレート２６を更に有することもできる。
【００２３】
続いて、図３、図４、乃至図５を参照して、内層ユニット３０と外層ユニット２０とを互いに組み合わせて、もともとのシート状態から皿状の容器装置に折畳む過程について説明する。
【００２４】
まず、外底板２１を、前記内底板３１の第１の表面３０１に接触するように重ねてから、外底板２１におけるフェンス板の外フェンス部２２を、外底板２１と直交させると共に内底板３１をその内側に囲むように折畳み、それからサポーターシート３２における第１のサポーター３２１が、外底板２１の第１の対辺２７１から延伸した２つの外フェンス部２２（ａ）と該２つの外フェンス部２２（ａ）から更に延伸した２つの内フェンス部２３（ａ）との間に挟まれると共に、第２のサポーター３２２が外底板３１の第２の対辺２７３から延伸した２つの外フェンス部２２（ｂ）と該２つの外フェンス部２２（ｂ）から更に延伸した２つの内フェンス部２３（ａ）との間に挟まれるように、内フェンス部２３を折り返し、その先端部２４を内底板３１の第２の表面３０２に当接させる。
【００２５】
また、図３に示されているように、外層ユニット２０に、四角形折畳角プレート２５及びウィングプレート２６が設けられている場合、四角形折畳角プレート２５をその外底板２１と隣接している角から延伸する対角線に沿った折畳み線２７４で三角形に折畳んでから、第１のサポーター３２１と外フェンス部２２（ａ）との間に挟ませ、そしてウィングプレート２６を第２のサポーター３２２と内フェンス部２３（ｂ）との間に挟ませることが好ましい。
【００２６】
以上のように折畳むと、図３に示されているもともとのシート状である内層ユニット３０と外層ユニット２０とを、図４、図５に示されているような皿状の容器装置２、即ち、前記外底板２１が内底板３１の第１の表面３０１に接触し、フェンス板が内層ユニット３０を囲みながら、外底板２１と直交するように延伸してから折り返って、その先端部が内層ユニット３０の第２の表面３０２に当接するまで延伸した二重構造の容器装置に作成することができる。
【００２７】
また、内層ユニット３０として不透明や半透明、あるいは透明材料を使用することで多種多様な外観を作り出すことが出来、また、図３に示されているように装飾孔３１０を開けるなどの変化を加えることもできる。
【００２８】
ちなみに、この実施形態においては、内底板３１及び外底板２１が直角四角形板体であるため、サポーターシート３２や外フェンス部２２、内フェンス部２３も直角四角形板体に形成されているが、内底板３１及び外底板２１を他の形状に形成することも可能であり、その場合、サポーターシート３２や外フェンス部２２、内フェンス部２３を対応して他の形状に形成する必要がある。
【００２９】
更に、図５、図６に示されているように、形状が対応し、且つ、互いに嵌め合わせて１つの中空立方体になるようなサイズに作成した上記皿状の容器装置２を二つ用意することで、１つのケース状容器装置にすることができる組み合わせ物を提供することもできる。前記ケース状容器装置は、図６に示されているように、その中空に収容されている品物が装飾孔３１０から見られるようにできる上、防水性能を十分に確保することができる。
【００３０】
また、図７は、本考案の容器装置の第２の実施形態に使用される内層ユニット３０と外層ユニット２０との折畳まれる前の状態が示されている平面図であり、図示されているように、第２の実施形態に使用される外層ユニット２０は第１の実施形態と同じように一体になっているが、内層ユニット３０では内底板３１とサポーターシート３２とが別々になっており、組み立てがより便利な皿状またはケース状容器装置を提供することができる。
【００３１】
つまり、本考案ではサポーターシート３２を底板３１と一体に形成してもよく、別々に形成することもできる。サポーターシート３２を底板３１体と一体に形成すると、構造的強度を高めることができ、そして別々に形成すると、組み立ての便利性を高めることができる。
【符号の説明】
【００３２】
２  皿状の容器装置
２０  外層ユニット
２１  外底板
２２  外フェンス部
２２（ａ）  外フェンス部
２２（ｂ）  外フェンス部
２３  内フェンス部
２３（ａ）  内フェンス部
２３（ｂ）  内フェンス部
２４  先端部
２５  四角形折畳角プレート
２６  ウィングプレート
２７１  第１の対辺（外底板）
２７２  辺
２７３  第２の対辺（外底板）
２７４  折畳み線
２７５  辺
３０  内層ユニット
３０１  第１の表面
３０２  第２の表面
３１  内底板
３１０  装飾孔
３１１  第１の対辺（内底板）
３２  サポーターシート
３２１  第１のサポーター
３２２  第２のサポーター
【図１】
0003165290.tif 000003
【図２】
0003165290.tif 000004
【図３】
0003165290.tif 000005
【図４】
0003165290.tif 000006
【図５】
0003165290.tif 000007
【図６】
0003165290.tif 000008
【図７】
0003165290.tif 000009